(57)【要約】      （修正有）【課題】電源コードの使用寿命を延長することができる照明器具のライトを天井に設置するためのライト設置構造を提供する。【解決手段】ライト設置構造は、ベース１０と、レール部材２０と、電源アダプタ３０と、を有し、ベースは、摺動台１１と、ガイドボルト１２と、ガイドナット１３と、上部プレート１４と、固定ナット１５とを備える。摺動台を貫通するように貫通穴が形成され、ガイドボルトは、貫通穴を通過するように摺動台に取り付けられ、ガイドナットがガイドボルトに螺合され、また、ガイドナットの外周部が貫通穴の内周部に制止される。上部プレートが摺動台の上方に配置され、ガイドボルトに環装される。これにより、ガイドナットを上部プレートとガイドボルトの間に制限し、固定ナットが上部プレートの上面に当接するように、ガイドボルトに螺合される。レール部材は、細長状を呈し、摺動台を収容するように取り付けられる。電源アダプタは、レール部材に設置される。【選択図】図２
0003198022.tif 000002
【実用新案登録請求の範囲】
【請求項１】
摺動台と、ガイドボルトと、ガイドナットと、上部プレートと、固定ナットとを備え、その内、該摺動台を貫通するように貫通穴が形成され、該ガイドボルトは、中空状を呈し、貫通穴を通過するように摺動台に取り付けられ、底端に摺動台の下方に位置する止め部が設けられ、該ガイドナットが貫通穴に位置するように、ネジ手段によりガイドボルトに螺合され、また、該ガイドナットの外周部が貫通穴の内周部に制止され、該ガイドナットが貫通穴の内部にガイドボルトの軸方向に沿って移動自在にガイドボルトに螺設され、該上部プレートが摺動台の上方に配置され、且つガイドナットの上側に位置するようにガイドボルトに環装され、これにより、ガイドナットを上部プレートとガイドボルトの間に制限し、該固定ナットが上部プレートの上面に当接するように、ガイドボルトに螺合されるベースと、
細長状を呈し、摺動台を収容するように取り付けられるレール部材と、
前記ベースと反対する端に位置するようにレール部材に設置される電源アダプタと、を有することを特徴とするライト設置構造。
【請求項２】
前記電源アダプタの壁部を貫通するように複数の折り溝が形成され、該壁部の折り溝の近傍に押付け翼部が設けられ、該各押付け翼部は、折り溝に沿って電源アダプタの壁部から突出するように反って、レール部材の内側面に押付けられることを特徴とする請求項１に記載のライト設置構造。
【請求項３】
前記電源アダプタの壁部に複数の押付け凸部が凸設され、該押付け凸部がレール部材の内側面に押付けられることを特徴とする請求項２に記載のライト設置構造。
【請求項４】
前記ベースが移動可能にレール部材に取り付けられることを特徴とする請求項３に記載のライト設置構造。
【考案の詳細な説明】
【技術分野】
【０００１】
本考案は、特に照明器具のライトを天井に設置するための構造に関するものである。
【背景技術】
【０００２】
既存のライト設置構造は、ベースと、レール部材と、電源アダプタとを備え、その内、該ベースは、天井に設置され、該レール部材は、レールを備え、該レールを介してベースの底部に取り付けられ、該電源アダプタは、レール部材の内部に設置され、下方へ垂れ下がるように設けられる電源コードを備える。
【０００３】
既存のライト設置構造の配線を敷設する時は、天井の内部に埋設された電源コードを引き出し、ベースを介してレール部材に沿って敷設し、そして、電源コードの末端を電源アダプタに電気接続する。これによれば、使用する時、そのレール部材がベースを中心に回転してしまうので、電源コードを捻らせ、レール部材が同一方向に何度も回転すると、その電源コードが絡まってしまう。
【考案の概要】
【考案が解決しようとする課題】
【０００４】
上述したように、前記従来の電源コードは、破損したり、断線したりしやすいので、電源コードの使用寿命が短く、また、そのライト設置構造のレール部材を回転する時に、電源コートをねじり、レール部材を逆方向に回転しないと、電源コードを解くことができない、使用上非常に不便である。さらに、その電源アダプタは、レール部材の内部に設けられることから、交換する時、その電源アダプタに繋がっている電源コードも一緒に取り外さなければならないので、作業上面倒である。また、そのレール部材に電源アダプタを位置決めるための固定構成を有しないことから、電源アダプタを装設しても緩めるという問題を有する。
【課題を解決するための手段】
【０００５】
本考案に係るライト設置構造は、ベースと、レール部材と、電源アダプタと、を有し、該ベースは、摺動台と、ガイドボルトと、ガイドナットと、上部プレートと、固定ナットとを備え、その内、該摺動台を貫通するように貫通穴が形成され、該ガイドボルトは、中空状を呈し、貫通穴を通過するように摺動台に取り付けられ、底端に摺動台の下方に位置する止め部が設けられ、該ガイドナットが貫通穴に位置するように、ネジ手段によりガイドボルトに螺合され、また、該ガイドナットの外周部が貫通穴の内周部に制止され、該ガイドナットが貫通穴の内部にガイドボルトの軸方向に沿って移動自在にガイドボルトに螺設され、該上部プレートが摺動台の上方に配置され、且つガイドナットの上側に位置するようにガイドボルトに環装され、これにより、ガイドナットを上部プレートとガイドボルトの間に制限し、該固定ナットが上部プレートの上面に当接するように、ガイドボルトに螺合され、該レール部材は、細長状を呈し、摺動台を収容するように取り付けられ、該電源アダプタは、該ベースと反対する端に位置するようにレール部材に設置されるものである。
【０００６】
かかるライト設置構造において、前記電源アダプタの壁部を貫通するように複数の折り溝が形成され、該壁部の折り溝の近傍に押付け翼部が設けられ、該各押付け翼部は、折り溝に沿って電源アダプタの壁部から突出するように反って、レール部材の内側面に押付けられることが好ましい。
【０００７】
かかるライト設置構造において、前記電源アダプタの壁部に複数の押付け凸部が凸設され、該押付け凸部がレール部材の内側面に押付けられることが好ましい。
【０００８】
かかるライト設置構造において、前記ベースが移動可能にレール部材に取り付けられることが好ましい。
【考案の効果】
【０００９】
本考案に係るライト設置構造は、上述した構成により、以下に示すようなメリットを有する。
【００１０】
１.  そのガイドナットが、ガイドボルトの止め部と上部プレートとの間に移動可能に取り付けられることから、ライト設置構造が回転する時、ガイドナットがガイドボルトに沿って止め部と上部プレートとの間に自在に移動することができ、ガイドナットが止め部または上部プレートに当接すると、ライト設置構造がもっと回転することができない。この場合に、使用者がライト設置構造を逆方向に回転して内部の電源コードを解くことができるので、電源コードの使用寿命を延長することができる。
【００１１】
２.  また、その電源アダプタの本体には、押付け凸部及び押付け翼部を有することから、その押付け凸部及び押付け翼部がそれぞれレール部材に当接することによって、電源アダプタをレール部材に位置決めすることができる。
【図面の簡単な説明】
【００１２】
【図１】本考案に係るライト設置構造の斜視図である。
【図２】本考案に係るライト設置構造の分解斜視図である。
【図３】本考案に係るライト設置構造の部分拡大分解斜視図である。
【図４】本考案に係るライト設置構造の他の部分拡大斜視図である。
【図５】本考案に係るライト設置構造の使用状態を示す部分断面図である。
【図６】本考案に係るライト設置構造の他の使用状態を示す部分断面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１乃至図３に示すように、本考案に係るライト設置構造は、ベース１０と、レール部材２０と、電源アダプタ３０とを有する。
【００１５】
前記ベース１０は、天井に設置され、摺動台１１と、ガイドボルト１２と、ガイドナット１３と、上部プレート１４と、固定ナット１５とを備え、該摺動台１１を貫通するように貫通穴１１１が形成され、該貫通穴１１１は、円形以外の形状を呈し、六辺形であることが好ましい。前記ガイドボルト１２は、中空状を呈し、貫通穴１１１を通過するように摺動台１１に取り付けられ、底端に止め部１２１が設けられ、中心部にコード４０を貫設する配線穴が形成される。前記ガイドナット１３は、貫通穴１１１に位置するように、ネジ手段によりガイドボルト１２に螺合され、また、該ガイドナット１３の外周部が貫通穴１１１の内周部に制止されるが、該ガイドナット１３が貫通穴１１１の内部にガイドボルト１２の軸方向に沿って上下移動自在にガイドボルト１２に螺設される。つまり、そのガイドナット１３は、貫通穴１１１に対して回転することができないが、螺設手段によりガイドボルト１２に沿って上下自在に移動することができる。
【００１６】
前記上部プレート１４は、摺動台１１の上方に配置され、且つガイドナット１３の上側に位置するようにガイドボルト１２に環装され、これによれば、ガイドナット１３を上部プレート１４とガイドボルト１２の間に制限する。前記固定ナット１５は、上部プレート１４の上側に当接するように、ガイドボルト１２に螺合される。
【００１７】
前記レール部材２０は、細長状を呈すると共に、摺動空間２１を備え、該摺動空間２１に摺動台１１を収容するように、移動可能に摺動台１１に取り付けられる。
【００１８】
図４に示すように、前記電源アダプタ３０は、ベース１０と反対する端に位置するようにレール部材２０の摺動空間２１に設置されると共に、本体３１及びコネクタ３２を備え、その内、本体３１は、レール部材２０に取り付けられると共に、複数の折り溝３１１及び複数の押付け凸部３１２を備え、それらの折り溝３１１はそれぞれ、本体３１の両側壁部に形成され、該壁部の折り溝３１１の近傍に押付け翼部３１３が設けられ、該各押付け翼部３１３は、本体３１の壁部から突出するように反って、レール部材２０の内側面に押付けられ、それらの押付け凸部３１２は、本体３１の両側壁部に凸設され、レール部材２０の内側面に押付けられる。前記コネクタ３２は、本体３１の内部に取り付けられると共に、接続部材３２１を備え、該接続部材３２１は、ベース１０に面するとうに設置される。
【００１９】
図４及び図５に示すように、使用する時は、そのコード４０を、天井に埋設し、ベース１０を通過して天井から延設され、その内、該コード４０がベース１０のガイドボルト１２に貫設されて軌道部材２０に沿って配線され、また、該コード４０におけるベース１０と反対する端に接合部材４１が設置され、該接合部材４１は、着脱可能に電源アダプタ３０の接続部材３２１に組み合わせられる。そのライトコード５０は、電源アダプタ３０の接続部材３２１に電気接続され、電源アダプタ３０から延出してレール部材２０の下方に垂れ下がるように設けられる（図示せず）。
【００２０】
図５及び図６に示すように、本考案のライト設置構造によれば、使用者がレール部材２０を回転させると、ベース１０と天井とが結合する箇所を中心として回転しながらコード４０を捻らせるが、その時、ガイドナット１３は貫通穴１１１に係合されているので、摺動台１１が回動することによって、ガイドナット１３がガイドボルト１２に沿って上下に移動する。尚、そのガイドボルト１２の長さは、必要に応じて変更しても構わない。また、そのガイドナット１３を上下に移動させてガイドボルト１２の止め部１２１または上部プレート１４に当接させれば、そのライト設置構造がこれ以上回転できないことがわかる。この時、そのライト設置構造がもう順方向に回転することができないことから、逆方向に回転してコード４０を解くことができる。それによれば、コード４０の破損や断線を防止し、使用寿命を延長することができる。そのガイドボルト１２の長さは、実際の需要に応じて適当に選択しては、そのライト装設構造を回転可能な回数を変更することができる。
【００２１】
前記電源アダプタ３０は、コネクタ３２を備えることから、ライトを取り外す時、電源アダプタ３０の接続部材３２１をコード４０の接合部材４１から取り外せば、ライトコード５０をスムーズに電源アダプタ３０から取り出すことができ、天井に埋設されたコード４０に影響を及ぼすことはない。また、電源アダプタ３０の本体３１に押付け翼部３１３及び押付け凸部３１２を有することから、電源アダプタ３０をしっかりとレール部材２０に設置できるので、位置ずれや、緩みの問題はない。
【符号の説明】
【００２２】
１０      ベース
１１      摺動台
１１１    貫通穴
１２      ガイドボルト
１２１    止め部
１３      ガイドナット
１４      上部プレート
１５      固定ナット
２０      レール部材
２１      摺動空間
３０      電源アダプタ
３１      本体
３１１    折り溝
３１２    押付け凸部
３１３    押付け翼部
３２      コネクタ
３２１    接続部材３２１
４０      コード
４１      接合部材
５０      ライトコード
【図１】
0003198022.tif 000003
【図２】
0003198022.tif 000004
【図３】
0003198022.tif 000005
【図４】
0003198022.tif 000006
【図５】
0003198022.tif 000007
【図６】
0003198022.tif 000008